(57)【要約】【課題】従来、プラスチックシートに形成された切込みによって留め具を組み上げ、ファイルする技術が開示されているが、環境に配慮したものではない。【解決手段】前記課題を解決するために、二個のファイル孔が形成された、紙片を綴じてファイルするためのファイル台紙であって、ファイル台紙には、前記紙片のファイル孔に差し込まれてファイル孔を結ぶ線に対して直角に突出する帯状の綴じ部が形成され、前記綴じ部は、ファイル台紙基材を貫通する切り込みによって形成され、ファイル台紙は、環境にやさしい生分解樹脂、または、紙で構成されたファイル台紙を提供する。【選択図】  図１
2007044911.tif 000002
【特許請求の範囲】
【請求項１】
二個のファイル孔が形成された、紙片を綴じてファイルするためのファイル台紙であって、
ファイル台紙には、前記紙片のファイル孔に差し込まれてファイル孔を結ぶ線に対して直角に突出する帯状の綴じ部が形成されたことを特徴とするファイル台紙。
【請求項２】
請求項１に記載のファイル台紙において、
綴じ部は、ファイル台紙基材を貫通する切り込みによって形成されたことを特徴とするファイル台紙。
【請求項３】
請求項２に記載のファイル台紙において、
ファイル台紙は、環境にやさしい生分解樹脂、または、紙で構成されたことを特徴とするファイル台紙。
【発明の詳細な説明】
【技術分野】
【０００１】
本発明は、各種領収書，保証書などの紙片をファイルするファイル台紙に関する。
【背景技術】
【０００２】
従来、ガソリンスタンド，商店などでは、決済の後必ずレシートが発行され、銀行のＡＴＭ（現金自動預け払い機）での取引の場合は、希望する顧客に対してレシートが発行されている。
また、これらの場所では、レシートを綴じるためのファイル台紙が機械の周辺や、事務室内に置かれ、無償で提供されている。
ファイル台紙には、ガソリンスタンドや商店、銀行などの宣伝情報が印刷され、金属やプラスチックで加工された留め具が取り付けられている。
また、前記レシートには、規格に基づいたファイル孔が開けられ、前記ファイルを含めた各種市販のファイルに綴じられるようになっている。
【０００３】
これらのファイル台紙は、多くの場合、厚紙やプラスチックシートの台紙と、レシートをファイルするための留め具で構成されており、使用する前に組み立てなければならない。また、留め具が金属やプラスチックで加工されているために、ファイル台紙全体のコストが高くなっている。
そこで、組み立て工程を必要とせず、安価に製造できる「シートホルダ」が提供されている（特許文献１参照）。
【０００４】
特許文献１に記載された技術は、プラスチックシートに、その基部が互いに所要の間隔をもって離れた複数の舌状の切り目を入れるとともに、この舌状の切り目の各基部に折り目を入れて、舌状部を折り曲げ自在に形成した構成を採用したものである。
また、前記プラスチックシートに形成された複数の舌状の切り目とは異なる部分に、カードを保持するための少なくとも２つのスリットを設けることにより、クレジットカード等のカードも同時に保持することができるというものである。
【０００５】
【特許文献１】特開平１０−２５０２７８号公報
【発明の開示】
【発明が解決しようとする課題】
【０００６】
特許文献１に開示された技術は、プラスチックシートに形成された切込みによって留め具を組み上げ、ファイルするもので、環境に配慮したものではない。
【課題を解決するための手段】
【０００７】
前記課題を解決するために、本発明のファイル台紙の請求項１に記載に発明は、二個のファイル孔が形成された、紙片を綴じてファイルするためのファイル台紙であって、ファイル台紙には、前記紙片のファイル孔に差し込まれてファイル孔を結ぶ線に対して直角に突出する帯状の綴じ部が形成されたことを特徴とするものである。
【０００８】
また、請求項２に記載の発明は、請求項１に記載の発明において、綴じ部は、ファイル台紙基材を貫通する切り込みによって形成されたことを特徴とするものである。
【０００９】
また、請求項３に記載の発明は、請求項２に記載の発明において、ファイル台紙は、環境にやさしい生分解樹脂、または、紙で構成されたことを特徴とするものである。
【発明の効果】
【００１０】
１）請求項１に記載のように、二個のファイル孔が形成された、紙片を綴じてファイするためのファイル台紙であって、ファイル台紙には、前記紙片のファイル孔に差し込まれてファイル孔を結ぶ線に対して直角に突出する帯状の綴じ部が形成されたことによって、二個のファイル孔が形成された紙片を、綴じ部に対してスライドさせて綴じることができる。
２）また、請求項２に記載のように、請求項１に記載の発明において、綴じ部は、ファイル台紙基材を貫通する切り込みによって形成されたことによって、ファイル台紙を使用する際に綴じ部を組み立てることもないために安価なファイル台紙として提供でき、輸送の際や未使用品を保管する際にかさ張らない。
３）また、請求項３に記載のように、請求項２に記載の発明において、ファイル台紙は、環境にやさしい生分解樹脂、または、紙で構成されたことによって、不要になったときに紙片とファイル台紙を一緒に切り刻んだり、廃棄することができる。
【発明を実施するための最良の形態】
【００１１】
以下、図面を参照して、本発明のファイル台紙について詳細に説明する。
図１は、本発明のファイル台紙の一例について説明するための図，図２は、図１のファイル台紙に紙片が綴じられた状態について説明するための図，図３は、図１の変形例について説明するための図，図４は、本発明のファイル台紙の、他の一例について説明するための図，図５〜図７は、図４に示すファイル台紙の使い方の手順について説明するための図，図８は、図７のＡ−Ａ線断面，である。
【００１２】
図１を参照して、本発明のファイル台紙の一例について説明する。
図示しないが、多くのファイルは、帯状の金属の綴じ具がファイル基材の側端縁に平行に取り付けられ、紙片のファイル孔の位置で綴じ具の両端が折り曲げられ、綴じられる紙片のファイル孔にくぐらせ、ファイル基材の側端縁に平行に折り畳まれ、紙片を固定する。
【００１３】
本発明のファイル台紙は、図１に示すように、ファイル台紙１の基材に、二つの舌状の綴じ部２がファイル台紙基材を貫通する切込みによって形成されている。
さらに、二つの舌状の切込みによる綴じ部２の間隔は、綴じられる紙片３のファイル孔３１の間隔ｄに合せて形成されている。
舌状の切込みによる綴じ部２の始点は、ファイル台紙の側端から、所定の距離内側に、切込みの舌状先端がファイル台紙の中央部に向いた状態で形成される。
【００１４】
図２は、図１のファイル台紙に紙片が綴じられた状態について説明するための図であるが、ファイル台紙１に形成された二つの舌状の切込みによる綴じ部２をファイル台紙の裏側から押し上げて、切込みによる綴じ部の先端部を浮き立たせ、綴じられる紙片３をファイル台紙１の中央側から滑らせるように移動させ、浮き上がった切込みの先端部をファイル孔３１から飛び出させ、綴じられる紙片３を切込みの始点まで押し込む。
【００１５】
図３は、図１の変形例について説明するための図で，図２で説明した切込みの始点をファイル台紙の中央側に設け、切込みの舌状先端がファイル台紙の側端に向いた状態で形成されるた例である。
ファイル台紙１に形成された二つの舌状の切込みによる綴じ部２をファイル台紙の裏側から押し上げて、切込みの先端部を浮き立たせ、綴じられる紙片３をファイル台紙の側端から滑らせるように移動させ、浮き上がった切込みの先端部をファイル孔３１に潜らせ、綴じられる紙片３を切込みの始点まで押し込む。
【００１６】
図２の例は、ファイル台紙をファイされた紙片と共に、綴じ部を下にし、立てて保管するとファイルされる紙片が自然に食い込んで好ましく保管される。
図３の例は、ファイル台紙をファイされた紙片と共に、綴じ部を上にし、立てて保管するとファイルされる紙片が自然に食い込んで好ましく保管される。
【００１７】
図４を参照して本発明のファイル台紙の、他の一例について説明する。
図４に示す例は、簡易な切込みによる綴じ部２０によって、綴じられる紙片を、ファイル台紙１に固定してしまう綴じ部の一例である。
図４に示す例は、簡易な切込みによる綴じ部２０のほかに、綴じ部２０の帯をくぐらせて、綴じられる紙片をファイル台紙に固定するため綴じ孔２２を形成し、さらに、綴じ部２０の帯の先端部を固定するためのスリット２１を設けた綴じ部の一例である。
【００１８】
以下、図５〜図７を参照して、図４に示すファイル台紙の例の綴じ部の使い方手順について説明する。
図５に示すように、最初の紙片をファイルするために、ファイル台紙１の切込みによる綴じ部２０を裏側に押し込み、切込みの始点部で外側に１８０度折り畳むと、切込みによる綴じ部２０の帯がファイル台紙１の側端にはみ出した状態になる。
【００１９】
図６に示すように、ファイル台紙の側端からはみ出した切込みによる綴じ部２０の帯をファイル台紙１の中央部側に折り畳む。
次に、綴じられる紙片３のファイル孔３１をファイル台紙の綴じ孔２２に合わせ、綴じられる紙片をセットする。
【００２０】
図７に示すように、切込みによる綴じ部２０の帯を綴じられる紙片のファイル孔３１とファイル台紙の綴じ孔２２に通し、綴じ部２０の帯の先端部をファイル台紙の裏側と、切込みによる綴じ部２０の帯の間に差し込む。
スリット２１の入り口を事前に下向きにさせて置くことによって、切込みによる綴じ部２０の帯の先端は、スリット２１の中を潜ってファイル台紙１の表側と綴じられる紙片３の裏側に到達して固定される。
【００２１】
図８を参照して、図７のＡ−Ａ線断面について説明する。
図８では、図５から図７で説明した手順がわかりやすいように、綴じ部の先端の経路を点線と矢印ａで示している。
図５で説明したように、切込みによる綴じ部２０を裏側に押し込み、帯状の綴じ部を切込みの始点部で外側に１８０度折り畳み、ファイル台紙の側端からはみ出した帯状の綴じ部２０をファイル台紙の中央部に向けて折り畳み、綴じ部の先端をファイルされる紙片３のファイル孔３１と綴じ孔２２の間を通し、ファイル台紙の裏側と、切込みによる綴じ部２０の帯の間に差し込む。
スリット２１の入り口を事前に下向きにさせて置くことによって切込みによる帯状の綴じ部２０の先端は、スリット２１の中を潜ってファイル台紙１の表側と綴じられる紙片３の裏側に到達して固定される。
【００２２】
（材料）
ファイル台紙の基材には、生分解性樹脂または紙を使用する。
１）生分解性樹脂を使用する場合は、『天然物系』として、例えば、キトサン／セルロース，澱粉，酢酸セルロース等から、『微生物系』として、例えば、バイオポリエステル，バクテリアセルロース，微生物多糖（プルラン、カードランなど）等から、『化学合成系』として、例えば、脂肪族ポリエステル（ポリカプロラクトン，ポリブチレンサクシネート，ポリエチレンサクシネート，ポリグリコール酸，ポリ乳酸など），ポリビニルアルコール，ポリアミノ酸類（ＰＭＬＧなど），その他ポリウレタン、ナイロンオリゴマー等から、『複合物』として、例えば、澱粉／脂肪族ポリエステル，澱粉／ポリビニルアルコール等から選択して使用する。
２）紙を使用する場合は、例えば、上質紙，中質紙，下級紙，色上質紙等の非塗工紙、アート紙，コート紙，軽量コート紙等の塗工紙、エンボス紙，キャストコート紙，クラフト紙、等から選択し、柔軟性が有って、繊維が長い、比較的厚手の紙を使用する。
なお、ファイル台紙の基材として使用される材料については、上記材料に限定するものではない。
【産業上の利用可能性】
【００２３】
簡易で、ファイルする紙片が比較的少ない場合のファイル台紙として好適に利用することができる。
【図面の簡単な説明】
【００２４】
【図１】本発明のファイル台紙の一例について説明するための図である。
【図２】図１のファイル台紙に紙片が綴じられた状態について説明するための図である。
【図３】図１の変形例について説明するための図である。
【図４】本発明のファイル台紙の、他の一例について説明するための図である。
【図５】図４に示すファイル台紙の、綴じ部の使い方の手順について説明するための図である。
【図６】図４に示すファイル台紙の、綴じ部の使い方の手順について説明するための図である。
【図７】図４に示すファイル台紙の、綴じ部の使い方の手順について説明するための図である。
【図８】図７のＡ−Ａ線断面図である。
【符号の説明】
【００２５】
１      ファイル台紙
２，２０  綴じ部
３      ファイルされる（綴じられる）紙片
２１    スリット
２２    綴じ孔
３１    ファイル孔
【図１】
2007044911.tif 000003
【図２】
2007044911.tif 000004
【図３】
2007044911.tif 000005
【図４】
2007044911.tif 000006
【図５】
2007044911.tif 000007
【図６】
2007044911.tif 000008
【図７】
2007044911.tif 000009
【図８】
2007044911.tif 000010